(57)【特許請求の範囲】
【請求項１】
第一のネットワークに接続されネットワーク間の移動に対応する通信プロトコルによる通信が可能な第一の端末装置と、第二のネットワークに接続され前記通信プロトコルによる通信をしない第二の端末装置との間のパケットの中継を行う方法であって、
前記第一の端末装置に割り当てられたホームアドレスと気付アドレスの対応関係を保持し、
前記第一の端末装置からパケットを受信し、
前記受信したパケットが前記通信プロトコルに対応しているか否かを判定し、
前記受信したパケットが前記通信プロトコルに対応している場合には前記パケットの送信元アドレスに基づき前記対応関係を検索し、
当該検索の結果、前記対応関係の中に前記送信元アドレスを発見した場合には、前記送信元アドレスに対応付けて保持されているホームアドレスを新たな送信元アドレスとし、
前記新たな送信元アドレスを含む前記パケットを前記第二の端末装置へ送信する、
ことを特徴とするデータ中継方法。
【請求項２】
前記第一の端末装置の移動に応じて、前記ホームアドレスに対応する前記気付アドレスを更新することを特徴とする請求項１に記載のデータ中継方法。
【請求項３】
前記通信プロトコルはＭｏｂｉｌｅＩＰｖ６であり、前記第一の端末の送信するＩＰｖ６パケットの送信元アドレスに格納された気付アドレスと、拡張ヘッダに格納されたホームアドレスの対応関係を保持することを特徴とする請求項１に記載のデータ中継方法。
【請求項４】
前記第二端末からのデータを前記第一端末へと中継する場合に、
前記第二の端末から前記第一の端末へ向けて送信されたパケットの宛先アドレスに基づき前記対応関係を検索し、
当該検索の結果、前記対応関係の中に前記宛先アドレスを発見した場合には、前記宛先アドレスに対応付けて保持されている気付アドレスを新たな宛先アドレスとし、
前記新たな宛先アドレスが付帯する前記データを前記第一の端末装置へ送信することを特徴とする請求項１に記載のデータ中継方法。
【請求項５】
第一のネットワークに接続されネットワーク間の移動に対応する通信プロトコルによる通信が可能な第一の端末装置と、第二のネットワークに接続され前記通信プロトコルによる通信をしない第二の端末装置との間でパケットを中継する中継装置であって、
前記第一の端末装置との間でパケットを送受信する第一の送受信手段と、
前記第二の端末装置との間でパケットを送受信する第二の送受信手段と、
前記第一の端末装置のホームアドレスと気付アドレスの対応関係を保持するアドレス記憶手段と、
前記第一の送受信手段により受信したパケットが前記通信プロトコルに対応しているか否かを判定する判定手段と、
前記受信したパケットが前記通信プロトコルに対応している場合に、前記第一の端末装置から受信したパケットの送信元アドレスに基づき前記アドレス記憶手段を検索するアドレス検索手段と、
当該検索の結果、前記送信元アドレスに対応してホームアドレスが保持されている場合には、当該ホームアドレスを前記パケットの新たな送信元アドレスとして変換するアドレス変換手段とを備え、
前記新たな送信元アドレスを含む前記パケットを前記第二のデータ送受信手段により前記第二のネットワークへ送出することを特徴とするデータ中継装置。
【請求項６】
前記アドレス記憶手段は、前記第一端末装置の移動により前記気付アドレスが変わった場合、前記ホームアドレスに対応する前記気付アドレスを更新して記憶することを特徴とする請求項５記載のデータ中継装置。
【請求項７】
前記通信プロトコルはＭｏｂｉｌｅＩＰｖ６であり、前記アドレス記憶手段は、前記第一の端末の送信するＩＰｖ６パケットの送信元アドレスに格納された気付アドレスと、拡張ヘッダに格納されたホームアドレスの対応関係を保持することを特徴とする請求項５に記載のデータ中継装置。
【請求項８】
前記第二端末から前記第一端末へ向けたパケットを中継する場合、
前記アドレス検索手段は、前記第二の端末装置から受信したパケットに付帯する宛先アドレスに基づき前記アドレス記憶手段を検索し、
前記アドレス変換手段は、当該検索の結果、前記宛先アドレスに対応して気付アドレスが保持されている場合には、当該気付アドレスを前記パケットの新たな宛先アドレスとして変換することを特徴とする請求項５記載のデータ中継装置。
【発明の詳細な説明】
【０００１】
【発明の属する技術分野】
本発明は、データ中継方法、及びデータ中継装置に関する。
【０００２】
【発明の背景】
近年、携帯型の通信機能を有するパーソナルコンピュータは、いわゆるモバイルコンピューティング環境において、移動先のネットワークに接続してサービスを受けることができるようになってきた。現在、ＩＰｖ６（Ｉｎｔｅｒｎｅｔ  Ｐｒｏｔｏｃｏｌ  ｖｅｒｓｉｏｎ  ６）の規格に基づいて、ノードとしての端末装置（パーソナルコンピュータやＰＤＡ等）の通信の手法として、Ｍｏｂｉｌｅ  ＩＰｖ６等が提案されている。
【０００３】
このＭｏｂｉｌｅ  ＩＰｖ６において、端末装置（以後、単に「端末」と称する）は、ホームアドレスおよび気付アドレス（Ｃａｒｅ  ｏｆ  ａｄｄｒｅｓｓ）という二つのＩＰアドレスを有する。気付アドレスは、端末装置の移動に伴い、接続中のサブネットワークに対応して変化する。ホームアドレスは、移動に関わらず、一定であって変化しない。なお、以上説明したようなＭｏｂｉｌｅ  ＩＰｖ６の端末（以後、「ＭｏｂｉｌｅＩＰｖ６対応端末」と称する）同士の通信に関する技術が特開２００１−２６８１２９号公報に記載されている。
【０００４】
ところで、ＭｏｂｉｌｅＩＰｖ６対応端末と、ＩＰｖ６対応ではあるものの非Ｍｏｂｉｌｅ  ＩＰｖ６対応型の端末（以後、「ＩＰｖ６固定端末」と称する）との間におけるパケット通信を考える。図１のブロック図に示すように、Ｍｏｂｉｌｅ  ＩＰｖ６対応ネットワーク（第一のネットワーク）に対して、移動しうるＭｏｂｉｌｅＩＰｖ６対応端末１０が接続されるとともに、ホームエージェント２０が接続されている。一方、ＩＰｖ６対応ではあるものの非Ｍｏｂｉｌｅ  ＩＰｖ６対応ネットワーク（第二のネットワーク、以後、「ＩＰｖ６ネットワーク」と称する）に対して、ＩＰｖ６固定端末３０が接続されている。これらＭｏｂｉｌｅ  ＩＰｖ６対応ネットワークとＩＰｖ６ネットワークとの間はルータ４０を介して接続される。ホームエージェント２０は、付帯する記憶部において、ホームアドレスと気付アドレスとを対応付けしたアドレス管理テーブルを記憶している。このホームエージェント２０は、移動したＭｏｂｉｌｅＩＰｖ６対応端末１０から新たな気付アドレスを含むパケットを受信して、そのアドレス管理テーブルを更新する。
【０００５】
ここで、ＩＰｖ６パケットにおけるデータに付帯するメッセージヘッダのフォーマットを図２に示す。同図のヘッダにおいては、プロトコルバージョン、優先度を認識して区別するためのトラフィッククラス、ルータ４０で特殊な操作の実行を要求するパケットを識別するためのフローラベル等が配置される。加えて、同ヘッダにおいては、パケットを送信した端末のアドレスである送信元アドレス、パケットを受信する端末のアドレスである送信先アドレス、およびオプションである拡張ヘッダが配置される。また、Ｍｏｂｉｌｅ  ＩＰｖ６パケットの場合には、図３に示すように、図２のＩＰｖ６パケットのメッセージヘッダのフォーマットと同様であるが、拡張ヘッダ内にホームアドレスが含まれる。
【０００６】
ＭｏｂｉｌｅＩＰｖ６対応端末１０に電源が投入され、後に移動した場合を説明する。図４のブロック図に示すように、電源が投入されて起動したＭｏｂｉｌｅＩＰｖ６対応端末１０は、ホームアドレス及び気付アドレスをホームエージェント２０に通知する（図中、Ｓ１０→Ｓ２０）。ホームエージェント２０は、図５に示すように、通知されたホームアドレス１１及び気付アドレス１２をアドレス管理テーブルに登録する（Ｓ３０）。また、ホームエージェント２０は、確認応答パケットをＭｏｂｉｌｅＩＰｖ６対応端末１０へ応答する（Ｓ４０）。その後、ＭｏｂｉｌｅＩＰｖ６対応端末１０が移動すると（Ｓ５０）、変化しないホームアドレス１１と、移動後の新たな気付アドレス１２とをホームエージェント２０に通知する（Ｓ６０）。ホームエージェント２０は、図５に示すように、通知されたホームアドレス１１及び気付アドレス１２をアドレス管理テーブルに登録するとともに、確認応答パケットをＭｏｂｉｌｅＩＰｖ６対応端末１０へ応答する（Ｓ７０）。
【０００７】
以上のようにホームアドレス１１及び気付アドレス１２をホームエージェント２０に通知するＭｏｂｉｌｅＩＰｖ６対応端末１０と、ＩＰｖ６固定端末３０との間のホームエージェント２０を介したパケット通信処理について、具体的に説明する。先ず、ＩＰｖ６固定端末３０からＭｏｂｉｌｅＩＰｖ６対応端末１０へパケットを送信する場合について、図６のフロチャートを参照にして説明する。同図に示すように、ＭｏｂｉｌｅＩＰｖ６対応端末１０は、気付アドレスが２００１：：１の値を有するとともに、ホームアドレスが２０００：：１の値を有する。
【０００８】
ＩＰｖ６固定端末３０は、アドレスが３０００：：１の値を有する。ＩＰｖ６固定端末３０は、パケットを送信するに際し、送信元のアドレスを自己のアドレスの値（３０００：：１）とするとともに、宛先のアドレスを送信先のＭｏｂｉｌｅＩＰｖ６対応端末１０のホームアドレスの値（２０００：：１）とする（図中、１０１）。ホームエージェント２０は、パケットを受信し（１０２）、パケットの宛先アドレスと同一のホームアドレスを持つレコードを図５のアドレス管理テーブルで検索する（１０３）。検索の結果、合致するレコードがあると（図中、１０４「エントリにマッチ」）、宛先が気付フィールドの値となるようパケットを生成（カプセル化）して送信する（１０５→１０６）。すなわち、宛先が気付フィールドの値（２００１：：１）であるパケットをＭｏｂｉｌｅＩＰｖ６対応端末１０は受信する。このとき、送信されるパケットの送信元のアドレスは同一のままであるとともに、宛先のアドレスは気付アドレスである。このため、ＭｏｂｉｌｅＩＰｖ６対応端末１０が移動しても、前述した通り、その気付アドレスをホームエージェント２０のアドレス管理テーブル上では更新しておくことができる。
【０００９】
ところが、ＭｏｂｉｌｅＩＰｖ６対応端末１０の移動の有無に関わらず、ＩＰｖ６固定端末３０がＭｏｂｉｌｅＩＰｖ６対応端末１０へ通信を開始する場合、ホームアドレスを宛先としてパケットを送信する。これに対するＭｏｂｉｌｅＩＰｖ６対応端末１０からの応答は、気付アドレスが送信元となってしまうため、通信が確立できない。
【００１０】
一方、ＭｏｂｉｌｅＩＰｖ６対応端末１０からＩＰｖ６固定端末３０へパケットを送信する場合について、図７のフロチャートを参照にして説明する。同図に示すように、ＭｏｂｉｌｅＩＰｖ６対応端末１０は、気付アドレスが２００１：：１の値を有するとともに、ホームアドレスが２０００：：１の値を有する。ＩＰｖ６固定端末３０は、アドレスが３０００：：１の値を有する。
【００１１】
移動前のＭｏｂｉｌｅＩＰｖ６対応端末１０は、パケットを送信するに際し、送信元のアドレスを自己の気付アドレスの値（２００１：：１）とするとともに、宛先のアドレスを送信先のＩＰｖ６固定端末３０のアドレスの値（３０００：：１）とする（図中、２０１）。このとき、パケットのＩＰｖ６の拡張ヘッダには、ＭｏｂｉｌｅＩＰｖ６対応端末１０自身のホームアドレスの値（２０００：：１）が格納されている。ＩＰｖ６固定端末３０は、受信したパケットのヘッダに格納されている各アドレスを自己の記憶部に保持する。つまり、ＩＰｖ６固定端末３０では、送信元のアドレスの値が２００１：：１のまま保持されることとなる。そして、パケット通信の最中に、端末が別のネットワークに移動した結果、移動後に気付アドレスが２００２：：１の値に変化する（２０２）。すると、ＩＰｖ６固定端末３０側では、変化した値の気付アドレスが送信元のアドレスとしてパケットが送られてくる。
【００１２】
このため、送信元のアドレスが移動の前と後とで相違し、同一の送信元からのパケット通信であると認識できなくなり、継続したパケット通信を続行することができない。すなわち、送信元であるＭｏｂｉｌｅＩＰｖ６対応端末１０が移動した場合、このＭｏｂｉｌｅＩＰｖ６対応端末１０は、移動後の気付アドレスを使用したパケットをＩＰｖ６固定端末３０へ向けて送信する。このため、ＩＰｖ６固定端末３０は、移動前とは異なる移動後の気付アドレスを使用したパケットを受信できず、パケット損失が生じるのである。
【００１３】
【課題を解決するための手段】
前述のような課題を解決すべく、本発明に係るデータ中継の技術にあっては、第一のネットワークに接続される第一の端末装置と、第二のネットワークに接続される第二の端末装置との間の通信におけるデータの中継を行うのであって、前記第一の端末装置から受信した前記データに付帯する位置情報に基づき、少なくとも前記第一端末装置の位置情報を記憶している位置情報記憶手段を検索し、当該検索の結果、該当の位置情報が存在する場合には、前記位置情報記憶手段に記憶された当該位置情報を前記データの新たな位置情報として変換し、変換された前記位置情報が付帯する前記データを前記記第二の端末装置へ送信することとする。
【００１４】
【発明の実施の形態】
本発明の実施の一形態につき、図１及び図８乃至図１０を参照にして説明する。先ず、本発明の実施の形態に係るデータ中継装置の構成について説明する。データ中継装置は、具体例としては図１に示すような、ゲートウエイとしての機能を有するルータ４０である。図１に示すように、ホームエージェント２０、ＭｏｂｉｌｅＩＰｖ６対応端末（第一の端末装置）１０、ＩＰｖ６固定端末（第二の端末装置）３０、及びルータ（データ中継装置）４０のネットワークにおける接続関係は、発明の背景の欄で説明した場合と同様である。このデータ中継装置たるルータ４０の内部構成の一例につき、図８のブロック図を参照にして説明する。同図に示すように、ルータ４０は、その動作全体を統括する全体制御部３０１と、ＭｏｂｉｌｅＩＰｖ６対応端末１０とネットワーク経由で接続するための複数のインタフェース３０４、３０５と、ＩＰｖ６（非ＭｏｂｉｌｅＩＰｖ６）固定端末３０と接続するための複数のインタフェース３０６、３０７と、アドレス管理テーブル３１０を記憶する記憶装置（アドレス管理記憶手段）３０９と、アドレス管理テーブル３１０を管理するアドレス管理テーブル管理部３０８と、パケット変換処理部３１１で構成される。全体制御部３０１は、互いに制御通信路で結ばれた演算装置３０２と記憶装置３０３で構成される。図８に示すように、前述した各部３０１乃至３１１は、適宜、互いに制御通信路及びデータ通信路で結ばれる。また、アドレス管理テーブルの構成例は、前述した図５に示す通りである。
【００１５】
前述した構成のルータ４０を介した、ＭｏｂｉｌｅＩＰｖ６対応端末１０とＩＰｖ６固定端末３０との間の通信処理について説明する。なお、ホームエージェント２０、ＭｏｂｉｌｅＩＰｖ６対応端末１０、及びＩＰｖ６固定端末３０の通信機能については、発明の背景の欄で説明した通りである。ホームエージェント２０は、ＭｏｂｉｌｅＩＰｖ６対応端末１０のホームアドレス宛に対応する経路情報をネットワークに報知（アナウンス）する。
【００１６】
先ず、ＭｏｂｉｌｅＩＰｖ６対応端末１０からＩＰｖ６固定端末３０へパケットを送信する場合について、図９のフロチャートを参照にして説明する。同図に示すように、ＭｏｂｉｌｅＩＰｖ６対応端末１０は、気付アドレスが２００１：：１の値を有するとともに、ホームアドレスが２０００：：１の値を有する。一方、ＩＰｖ６固定端末３０は、アドレスが３０００：：１の値を有する。移動前のＭｏｂｉｌｅＩＰｖ６対応端末１０は、パケットを送信するに際し、送信元のアドレスを自己の気付アドレスの値（２００１：：１）とするとともに、宛先のアドレスを送信先のＩＰｖ６固定端末３０のアドレスの値（３０００：：１）とする（図中、４０１）。このとき、パケットのＩＰｖ６の拡張ヘッダには、ＭｏｂｉｌｅＩＰｖ６対応端末１０自身のホームアドレスの値（２０００：：１）が格納されている。
【００１７】
ルータ４０は、パケットを受信すると、これがＭｏｂｉｌｅＩＰｖ６対応端末１０からのパケットか否かを判定する（４０２→４０３）。受信したパケットがＭｏｂｉｌｅＩＰｖ６対応端末１０からのパケットでない場合には（４０３：ＮＯ）、後述する図１０における符号５０３の処理に移る。
【００１８】
反対に、受信したパケットがＭｏｂｉｌｅＩＰｖ６対応端末１０からのパケットである場合には（４０３：ＹＥＳ）、ルータ４０は、パケットの拡張ヘッダのホームアドレスと同一のホームアドレスを持つレコードを図８のアドレス管理テーブルで検索する（４０４）。この検索動作は、全体制御部３０１の制御の元で記憶装置３０９内のアドレス管理テーブル３１０を参照することで実行される。
【００１９】
検索の結果、合致するレコードがない場合（図中、４０５：ＮＯ）、ルータ４０は、パケットのヘッダにおけるホームアドレス及び送信元アドレスの組を記憶装置３０９内のアドレス管理テーブル３１０における各フィールドに書き込むことで記憶させる。この記憶動作は、全体制御部３０１の制御の元、アドレス管理テーブル管理部を通じて記憶装置３０９内のアドレス管理テーブル３１０に書き込むことで実行される。
【００２０】
反対に、検索の結果、合致するレコードがある場合（図中、４０５：ＹＥＳ「エントリにマッチ」）、ルータ４０は、パケットにおける送信元のアドレスを合致したレコード中のホームアドレスの値で書き換える（変換）動作（位置情報変換）を実行する。この書き換え動作は、全体制御部３０１の制御の元、アドレス管理テーブル管理部を通じて記憶装置３０９内のアドレス管理テーブル３１０を更新することで実行される。送信元のアドレスがホームアドレスの値（２０００：：１）で書き換えられたパケットをＩＰｖ６固定端末３０へ送信する（４０８）。この送信されたパケットをＩＰｖ６固定端末３０は受信する（４０９）。
【００２１】
この場合、ＩＰｖ６固定端末３０は、受信したパケットのヘッダに格納されている各アドレスを自己の記憶部に保持している。つまり、ＩＰｖ６固定端末３０では、送信元のアドレスの値が２０００：：１のまま保持されることとなる。そして、パケット通信の最中に、ＭｏｂｉｌｅＩＰｖ６対応端末１０が別のネットワークに移動した結果、送信元アドレスとなる気付アドレスが変化したとしても、ルータ４０が、パケットの送信元のアドレスをホームアドレスの値で書き換える（変換）動作を実行する。このため、ＭｏｂｉｌｅＩＰｖ６対応端末１０が移動して、気付アドレスが変化したとしても、送信元のアドレスは変化しない。したがって、ＩＰｖ６固定端末３０側では、送信元のアドレスが移動の前と後とで相違しないため、同一の送信元からのパケット通信であると認識し、中断することなく継続したパケット通信を続行することができ、パケット損失は生じない。
【００２２】
一方、ＩＰｖ６固定端末３０からＭｏｂｉｌｅＩＰｖ６対応端末１０へパケットを送信する場合について、図１０のフロチャートを参照にして説明する。同図に示すように、ＭｏｂｉｌｅＩＰｖ６対応端末１０は、気付アドレスが２００１：：１の値を有するとともに、ホームアドレスが２０００：：１の値を有する。一方、ＩＰｖ６固定端末３０は、アドレスが３０００：：１の値を有する。ＩＰｖ６固定端末３０は、パケットを送信するに際し、送信元のアドレスを自己のアドレスの値（３０００：：１）とするとともに、宛先のアドレスを送信先のＭｏｂｉｌｅＩＰｖ６対応端末１０のホームアドレスの値（２０００：：１）とする（図中、５０１）。このパケットを受信したルータ４０は、パケットの宛先アドレスと同一のホームアドレスを持つレコードをアドレス管理テーブルで検索する（５０３）。この検索動作は、全体制御部３０１の制御の元で記憶装置３０９内のアドレス管理テーブル３１０を参照することで実行される。検索の結果、合致するレコードがあると（図中、５０４「エントリにマッチ」）、パケットのヘッダにおける宛先のアドレスを合致したレコード中の気付アドレスの値で書き換える（変換）動作を実行する。この書き換え動作は、全体制御部３０１の制御の元、アドレス管理テーブル管理部を通じて記憶装置３０９内のアドレス管理テーブル３１０を更新することで実行される。ルータ４０は、宛先のアドレスが気付アドレスの値（２００１：：１）で書き換えられたパケットをＭｏｂｉｌｅＩＰｖ６対応端末１０へ送信する（５０６）。この送信されたパケットをＭｏｂｉｌｅＩＰｖ６対応端末１０は受信する（５０７）。
【００２３】
このとき、送信されるパケットの送信元のアドレスは同一のままであるとともに、宛先のアドレスは気付アドレスである。このため、ＭｏｂｉｌｅＩＰｖ６対応端末１０が移動しても、その気付アドレスがルータ４０のアドレス管理テーブル上で更新されていれば、パケット通信を継続できる。
【００２４】
反対に、検索の結果、合致するレコードがない場合（図中、５０４：ＮＯ）、ルータ４０は、ヘッダにおけるホームアドレス及び送信元アドレスを書き換えることなく、そのまま送信する（５０８）。ホームエージェント２０は、パケットを受信し、図６に示される処理行った後、ＭｏｂｉｌｅＩＰｖ６対応端末１０へパケットを送信する。
【００２５】
すなわち、ＭｏｂｉｌｅＩＰｖ６対応端末１０の移動の有無に関わらず、ＩＰｖ６固定端末３０がＭｏｂｉｌｅＩＰｖ６対応端末１０へ通信を開始する場合、ホームアドレスを宛先としてパケットを送信する。これに対し、ＭｏｂｉｌｅＩＰｖ６対応端末１０が応答する際、移動後に気付アドレスが変化しても、ルータ４０のアドレス管理テーブルを参照して新たな気付アドレスで書き換えることができるため、通信を継続することができる。
【００２６】
【発明の効果】
ＭｏｂｉｌｅＩＰｖ６対応端末とＩＰｖ６固定端末との間のパケット通信において、ＭｏｂｉｌｅＩＰｖ６対応端末の移動の有無に関わらず、パケット通信の中断を格段に減らすことができる。
【図面の簡単な説明】
【図１】本発明の実施の一形態に係るデータ中継装置を含むネットワークの構成を示す図である。
【図２】本発明の実施の一形態に係るＩＰｖ６パケットのメッセージヘッダのフォーマットの構成を示す図である。
【図３】本発明の実施の一形態に係るＭｏｂｉｌｅ  ＩＰｖ６パケットのデータ構造を示す図である。
【図４】本発明の実施の一形態に係る、ＭｏｂｉｌｅＩＰｖ６対応端末からホームエージェントへアドレスの通知の様子を示す概念図である。
【図５】本発明の実施の一形態に係るアドレス管理テーブルの構成を示す図である。
【図６】従来のＩＰｖ６固定端末からＭｏｂｉｌｅＩＰｖ６対応端末へパケットを送信する場合のフロチャートである。
【図７】従来の実施の一形態に係る、ＭｏｂｉｌｅＩＰｖ６対応端末からＩＰｖ６固定端末へパケットを送信する場合のフロチャートである。
【図８】本発明の実施の一形態に係るデータ中継装置たるルータの内部構成の一例を示すブロック図である。
【図９】本発明の実施の一形態に係る、ＭｏｂｉｌｅＩＰｖ６対応端末からＩＰｖ６固定端末へパケットを送信する場合のフロチャートである。
【図１０】本発明の実施の一形態に係る、ＩＰｖ６固定端末からＭｏｂｉｌｅＩＰｖ６対応端末へパケットを送信する場合のフロチャートである。
【符号の説明】
１０            ＭｏｂｉｌｅＩＰｖ６対応端末
２０            ホームエージェント
３０            ＩＰｖ６固定端末
４０            ルータ
３０１          全体制御部
３０４〜３０７  インタフェース
３１０        アドレス管理テーブル
３０９          記憶装置
３０８          アドレス管理テーブル管理部
３１１          パケット変換処理部
【図１】
0003621917.tif 000002
【図２】
0003621917.tif 000003
【図３】
0003621917.tif 000004
【図４】
0003621917.tif 000005
【図５】
0003621917.tif 000006
【図６】
0003621917.tif 000007
【図７】
0003621917.tif 000008
【図８】
0003621917.tif 000009
【図９】
0003621917.tif 000010
【図１０】
0003621917.tif 000011